(57)【要約】【課題】ノズルフラッパ弁において、フラッパの駆動装置に用いられるコイルの引出線の影響を抑制することである。【解決手段】ノズルフラッパ弁１０は、気密構造の筐体１２の中に、リニアモータ６０と、リニアモータ６０に一体として移動するフラッパ２０と、リニアモータ６０の移動軸２４を両端で支持する第１雲形ばね７８、第２雲形ばね８０と、フラッパ２０に噴き出し開口を向けるノズル２２と、気体供給源からの供給圧Ｐｓを絞ってノズル２２と負荷に供給する気体流路の絞り装置３０とが備えられる。導電体である第２雲形ばね８０の内周側にはコイル中継端子７２が設けられ、外周側には外部中継端子７４が設けられる。コイル中継端子７２にはコイル６６からの信号線７０が接続され、外部中継端子７４には外部からの信号線７６が接続される。【選択図】図１
2008309169.tif 000002
【特許請求の範囲】
【請求項１】
駆動機構により軸方向に移動駆動されるフラッパと、
フラッパの軸周りの回転を抑制し、フラッパの軸方向の移動を自在とするラジアル支持ばねと、
フラッパに向けて気体噴き出し開口を有し、フラッパとの間の距離に応じて気体の噴き出しが変化するノズルと、
１次側より圧力気体が供給され、これを絞って２次側よりノズルと負荷とに供給する気体流路の絞り装置と、
を有し、フラッパの移動を制御して負荷に供給される気体圧を制御するノズルフラッパ弁において、
駆動機構は、
軸方向に配置された固定子の磁気ギャップと、
信号線により駆動信号が入力されるコイルを有し、固定子の磁気ギャップと協働して軸方向に駆動される可動子と、
を含み、
ラジアル支持ばねは、
固定子及び可動子と電気的に絶縁されて接続される導電体のばね材で構成され、外部からの信号線を中継する外部中継端子と、コイルへの信号線とを中継するコイル中継端子を有し、外部中継端子とコイル中継端子との間がばね材によって導通することを特徴とするノズルフラッパ弁。
【請求項２】
請求項１に記載のノズルフラッパ弁において、
ラジアル支持ばねは、信号線の数に応じて複数に分離されることを特徴とするノズルフラッパ弁。
【請求項３】
請求項１に記載のノズルフラッパ弁において、
ラジアル支持ばねは、
薄板に雲形曲線で構成されるスリットを有し、外周側を固定子に、内周側を可動子にそれぞれ接続される板ばねであることを特徴とするノズルフラッパ弁。
【請求項４】
請求項１に記載のノズルフラッパ弁において、
ラジアル支持ばねは、固定子に取り付けられる外周側に外部中継端子が設けられ、可動子の軸方向の動きを伝える内周側にコイル中継端子が設けられることを特徴とするノズルフラッパ弁。
【請求項５】
請求項１に記載のノズルフラッパ弁において、
気体流路の絞り装置は、
一方端に１次側供給口を有し、他方端に２次側出力口を有するハウジングと、
気体の流れ方向に沿い、所定の間隔を有する平行隙間を含む絞り部と、
を備え、平行隙間の整流作用により絞り部に流れる気体を乱れなく形成することを特徴とするノズルフラッパ弁。
【発明の詳細な説明】
【技術分野】
【０００１】
本発明は、ノズルフラッパ弁に係り、特に駆動機構により軸方向に移動駆動されるフラッパを有するノズルフラッパ弁に関する。
【背景技術】
【０００２】
気体圧回路やガス供給回路において管路の圧力制御や流量調整を行うために、フィードバック機構を内蔵した制御弁装置が用いられる。流体制御弁装置に用いられる機構として、ノズルフラッパ機構が知られている。ノズルフラッパ機構とは、モータ等によって変位するフラッパと、フラッパに向かい合って配置され流体を噴出するノズルとを備える機構で、ノズルフラッパ弁とも呼ばれる。
【０００３】
例えば、特許文献１には、ヒステリシス特性を改善するノズルフラッパ弁として、気密構造の筐体の中に、リニアモータと、リニアモータに一体として移動するフラッパと、リニアモータ及びフラッパを支持する雲形ばねと、フラッパに噴き出し開口を向けるノズルと、気体供給源からの供給圧Ｐｓを絞ってノズルと負荷に供給する気体流路の絞り装置が備えられる構成を開示している。ここでリニアモータは、筐体に固定される磁石、移動体、移動体に取り付けられるコイルを有しており、固定子の磁気ギャップが可動子の移動する軸方向に配置されるため、可動子であるフラッパの移動によって磁気ギャップが変動することがなく、これによってフラッパの駆動におけるヒステリシスを抑制できる、と述べられている。
【０００４】
また、この構成において、雲形ばねは、薄板に例えば雲形のような曲線形状を有するスリットを設けた板ばねで、軸周りの回転を抑制し、軸方向の移動を可能とするラジアル支持ばねである。したがって、フラッパは、ラジアル支持ばねでいわば宙吊りで支持され、摺動摩擦や回転軸の摩擦を伴わずに軽い負荷で軸方向にのみ駆動でき、精度よくフラッパを駆動でき、出力圧力を精度よく制御できる、と述べられている。
【０００５】
【特許文献１】特開２００６−５７７１９号公報
【発明の開示】
【発明が解決しようとする課題】
【０００６】
近年、位置決め装置において、その精度、分解能の向上の要求が著しい。例えば、半導体装置の露光装置では、半導体デバイスの最小寸法が１００ｎｍを切る。したがって、半導体デバイスの寸法精度の要求は１０ｎｍ以下となり、そのための位置決めアクチュエータの位置決め精度は１ｎｍ以下、つまりサブｎｍのものが要望される。また、その高速性も同様に要求される。このような精密位置決め装置や、精密移動機構等に気体アクチュエータを用いることが期待されている。すなわち、気体圧アクチュエータを用いる移動機構は、他の機構に較べ、コンタミネーションの発生が少ないほか、電磁的ノイズを発生せず、振動、騒音も少ないからである。
【０００７】
特許文献１のノズルフラッパ弁を気体圧制御弁として用い、これにより制御され多岐耐圧を気体アクチュエータに供給することで精度のよい気体圧アクチュエータ移動機構を構成することが可能である。
【０００８】
ところで、特許文献１のノズルフラッパは、フラッパの駆動装置としてリニアアクチュエータを用い、移動体にコイルが取り付けられる。そのため、コイルからの信号線を外部に引き出すことを要し、その引出線が移動体に対する負荷となる。引出線は、その質量等による固定的な負荷のみならず、移動体の移動に伴ってその曲率を変化させるので、移動体の移動に伴って負荷量が変化し、移動制御の精度に影響を及ぼす可能性がある。
【０００９】
本発明の目的は、フラッパの駆動装置に用いられるコイルの引出線の影響を抑制することができるノズルフラッパ弁を提供することである。
【課題を解決するための手段】
【００１０】
本発明に係るノズルフラッパ弁は、駆動機構により軸方向に移動駆動されるフラッパと、フラッパの軸周りの回転を抑制し、フラッパの軸方向の移動を自在とするラジアル支持ばねと、フラッパに向けて気体噴き出し開口を有し、フラッパとの間の距離に応じて気体の噴き出しが変化するノズルと、１次側より圧力気体が供給され、これを絞って２次側よりノズルと負荷とに供給する気体流路の絞り装置と、を有し、フラッパの移動を制御して負荷に供給される気体圧を制御するノズルフラッパ弁において、駆動機構は、軸方向に配置された固定子の磁気ギャップと、信号線により駆動信号が入力されるコイルを有し、固定子の磁気ギャップと協働して軸方向に駆動される可動子と、を含み、ラジアル支持ばねは、固定子及び可動子と電気的に絶縁されて接続される導電体のばね材で構成され、外部からの信号線を中継する外部中継端子と、コイルへの信号線とを中継するコイル中継端子を有し、外部中継端子とコイル中継端子との間がばね材によって導通することを特徴とする。
【００１１】
また、本発明に係るノズルフラッパ弁において、ラジアル支持ばねは、信号線の数に応じて複数に分離されることが好ましい。
【００１２】
また、本発明に係るノズルフラッパ弁において、ラジアル支持ばねは、薄板に雲形曲線で構成されるスリットを有し、外周側を固定子に、内周側を可動子にそれぞれ接続される板ばねであることが好ましい。
【００１３】
また、本発明に係るノズルフラッパ弁において、ラジアル支持ばねは、固定子に取り付けられる外周側に外部中継端子が設けられ、可動子の軸方向の動きを伝える内周側にコイル中継端子が設けられることが好ましい。
【００１４】
また、本発明に係るノズルフラッパ弁において、気体流路の絞り装置は、一方端に１次側供給口を有し、他方端に２次側出力口を有するハウジングと、気体の流れ方向に沿い、所定の間隔を有する平行隙間を含む絞り部と、を備え、平行隙間の整流作用により絞り部に流れる気体を乱れなく形成することが好ましい。
【発明の効果】
【００１５】
上記構成により、ノズルフラッパ弁において、軸方向に配置された固定子磁気ギャップと、可動子とを含む駆動機構により、フラッパが軸方向に移動駆動される。この駆動機構は、いわゆるリニアモータ又はフォースモータと呼ばれるものであるが、固定子磁気ギャップは、可動子の移動方向である軸方向に配置され、可動子すなわちフラッパの移動により磁気ギャップが変動することがなく、したがって、フラッパの駆動においてヒステリシスを抑制することができる。また、フラッパは、軸周りの回転を抑制し、軸方向の移動を可能とするラジアル支持ばねで支持される。つまり、フラッパは、ラジアルばねでいわば宙吊りで支持され、摺動摩擦や、回転軸の摩擦等を伴わずに、軽い負荷で軸方向にのみ移動できる。したがって、精度よくフラッパを駆動でき、出力圧力を精度よく制御できる。
【００１６】
そして、ラジアル支持ばねは、固定子及び可動子と電気的に絶縁されて接続される導電体のばね材で構成され、外部からの信号線を中継する外部中継端子と、コイルへの信号線とを中継するコイル中継端子を有し、外部中継端子とコイル中継端子との間がばね材によって導通する。これによって、可動子のコイルから直接信号線が引き出されるのではなく、コイルからラジアル支持ばねを経由して信号線が外部に引き出される。したがって、コイルから直接信号線が引き出されることに比較し、可動子が軸方向に変位したときの引出線の長さ、形状の変化を少なくできる。これにより、フラッパの駆動装置に用いられるコイルの引出線の影響を抑制することができる。
【００１７】
また、ラジアル支持ばねは、信号線の数に応じて複数に分離されるので、複数の信号線がある場合でも、コイルの引出線である信号線の影響を抑制することができる。
【００１８】
また、ラジアル支持ばねは、薄板に雲形曲線で構成されるスリットを有し、外周側を固定子に、内周側を可動子にそれぞれ接続される板ばねである。したがって、例えば薄板にエッチング加工またはプレス加工を行うことで、雲形ばねを容易に得ることができる。
【００１９】
また、ラジアル支持ばねは、固定子に取り付けられる外周側に外部中継端子を設け、可動子の軸方向の動きを伝える内周側にコイル中継端子が設けられる。これにより、可動子が軸方向に変位しても、外部中継端子はあまり軸方向に変位せず、コイル中継端子は可動子とほぼ同じ変位をする。したがって、外部中継端子からの引出線、コイルとコイル中継端子までの引出線のいずれも、可動子の軸方向の変位に対し、その長さ、形状をほとんど変化させない。これにより、フラッパの駆動装置に用いられるコイルの引出線の影響を抑制することができる。
【００２０】
また、ノズルの１次側に設けられる気体の絞り装置は、供給口と出力口を有するハウジング内に、所定の間隔を有する平行隙間を含む絞り部を備え、平行隙間の整流作用により絞り部に流れる気体を乱れなく形成する。乱れなく形成された気体は、乱流、渦流を含まず、衝撃波を生ずることもない。したがって、出力圧力のノイズを抑制することができる。
【発明を実施するための最良の形態】
【００２１】
以下に図面を用いて、本発明に係る実施の形態につき詳細に説明する。なお、以下の説明に用いる寸法等の数値は、１例であり、ノズルフラッパ弁に要求される性能、および全体の大きさ等を考慮して適宜変更することができる。
【００２２】
図１は、微小移動機構において、ノズルフラッパ弁１０の用いられ方を説明する図である。最初に、ノズルフラッパ弁１０により気体圧が制御されて微小移動機構に供給される様子の概略を説明し、ついでノズルフラッパ弁１０の詳細内容を説明する。
【００２３】
微小移動機構のアクチュエータ２は、案内部４と、案内部４により軸方向の移動を案内される可動体６から構成される。可動体６は段つき構造となっており、図１において紙面の右側の面である底面側で制御された気体圧Ｐａを受け、段つきの面で別途供給される押し付け圧Ｐ1を受ける。押し付け圧は図１の−Ｘ方向に可動体６を付勢し押し付ける。
【００２４】
ノズルフラッパ弁１０は、外部から供給圧Ｐｓを有する気体を供給し、制御部１００の制御の下で、所望の気体圧Ｐａの気体に調整して出力し、一部は大気Ｐ0に排気する機能を有する制御弁である。ノズルフラッパ弁１０は、リニアモータ６０と、リニアモータ６０により図１のＸ方向である軸方向に駆動移動されるフラッパ２０と、フラッパ２０に開口部を向けて配置されるノズル２２を備える。気体圧Ｐａの気体は、気体流路の絞り装置３０により流れる気体を整流して絞られ、ノズル２２と負荷、すなわちアクチュエータ２に供給される。つまり、ノズル２２からは、フラッパ２０に向けて気体が噴き出している。
【００２５】
ここで、制御部１００よりリニアモータ６０に駆動信号が供給されると、リニアモータ６０及びこれと一体に移動するフラッパ２０は、Ｘ方向に移動する。すると、ノズル２２とフラッパ２０との距離が変わり、ノズル２２とフラッパ２０の間の流体抵抗が変化する。したがって、ノズル２２から噴出す気体の流量及び気体圧が変わり、これに応じて負荷に供給される気体圧Ｐａも変化する。つまり、リニアモータ６０への駆動信号によって、出力圧力である気体圧Ｐａを調整することができる。例えば、リニアモータ６０を−Ｘ方向に移動させれば、ノズル２２からの噴出が抑制され、その分、出力圧力である気体圧Ｐａが高くなる。
【００２６】
調整された気体圧Ｐａは、アクチュエータ２に供給される。可動体６は、供給された気体圧Ｐａと押し付け圧Ｐ1とのバランスで移動するので、上記の例で気体圧Ｐａが高くなれば、＋Ｘ方向へ移動する。これを総合すれば、制御部１００がリニアモータ６０への駆動信号を制御することで、ノズルフラッパ弁１０により気体圧Ｐａが調整されて出力され、これを用いてアクチュエータ２において可動体６の移動を制御できることになる。
【００２７】
次にノズルフラッパ弁１０の構成を詳細に説明する。ここで、図示されていない気体供給源からの供給圧Ｐｓ、大気Ｐ0、負荷に供給される出力圧力である気体圧Ｐａは、図１と同じ記号として示す。ノズルフラッパ弁１０は、上記のように、気密構造の筐体１２の中に、リニアモータ６０と、リニアモータ６０の移動軸２４の一方側に設けられるフラッパ２０と、フラッパ２０に噴き出し開口を向けるノズル２２と、図示されていない気体供給源からの供給圧Ｐｓを絞ってノズル２２と負荷に供給する気体流路の絞り装置３０が備えられるほか、フラッパ２０を支持する第１雲形ばね７８と、リニアモータ６０の移動軸２４においてフラッパ２０が設けられる側の反対側である他方側を支持する第２雲形ばね８０とを含んで構成される。
【００２８】
筐体１２は、内部にノズルフラッパ弁１０の各構成要素を収納し、供給圧Ｐｓの供給口、大気Ｐ0の排気口、気体圧Ｐａの負荷口の気体ポートを除いて気密であるケース体で、数個のブロックを組み立てて得ることができる。図１の例では、第１雲形ばね７８、第２雲形ばね８０を取り付けやすいように、３個の筐体ブロック１４，１６，１８に分けられている。かかる筐体１２は、適当な金属ブロックを加工し、適当な気密シーリングを用いながら気密に組み立て、適当な固定手段で固定して得ることができる。材質は、気密性、堅牢性等を満たせば金属以外のものを一部用いることができるが、少なくともリニアモータ６０のヨークを構成する部分は、磁性体であることを要する。図１の例では、筐体ブロック１６が磁性体で構成される。
【００２９】
リニアモータ６０は、軸方向、すなわち図２のＸ方向に沿って配置される固定子磁気ギャップと、その固定子磁気ギャップの中を軸方向に移動する可動子を含む直線駆動装置で、フラッパ２０を軸方向に移動駆動する機能を有する。具体的には、磁性体である筐体ブロック１６の一部に、Ｘ方向を軸方向とする円環状のギャップが設けられ、そのギャップの一方側に磁石６２が取り付けられる。このことで、ギャップが、軸方向に配置された固定子磁気ギャップとなる。可動子は、この固定子磁気ギャップの中を軸方向に移動できる円環状の部分を有する移動ブロック体６４と、移動ブロック体６４の円環状の部分に軸方向に配列されたコイル６６を含んで構成される。移動ブロック体６４は、フラッパ２０が一方端に設けられる移動軸２４に取り付けられる。
【００３０】
このような固定子磁気ギャップと可動子の組み合わせにより、コイル６６に駆動電流を流すことで、この電流と、コイル６６を鎖交する固定子磁気ギャップの磁束との協働作用により、コイル６６に軸方向の駆動力が与えられる。そして、このような構造において一般には、固定子磁気ギャップの中の磁束密度は、軸方向の場所により変化しない。したがって、固定子磁気ギャップの中をコイル６６が軸方向に移動する分には、磁気ギャップとの協働作用に大きな変化がなく、いわゆる移動についてのヒステリシスがほとんど生じない。
【００３１】
磁石６２は、固定子磁気ギャップを形成し、コイル６６に鎖交する磁束を発生するためのものである。磁石６２は、上記の円環状ギャップに合わせ、円環状としてもよく、また必要なトルクを得る程度に、円管状ギャップの一部に設けてもよい。かかる磁石としては、高性能の永久磁石を用いることができる。筐体ブロック１６に磁石６２を取り付けるには、適当な接着材を用いてもよく、あるいは、磁性体と磁石の吸引力のみで保持することもできる。
【００３２】
移動ブロック体６４は、固定子磁気ギャップと協働して駆動力を発生するコイル６６を搭載し、また、上記のように、フラッパ２０が一方端に取り付けられる移動軸２４と一体化される部品である。移動ブロック体６４は、概略お椀形の形状のもので、お椀形の円環状側面にコイル６６が円周方向に沿って巻きつけられる。お椀形の底にあたる部分の中心には、お椀形の円環状側面に平行に上記の移動軸２４が突き出すように設けられる。
【００３３】
かかる移動ブロック体６４及び移動軸２４は、適当な強度を有する金属又は樹脂を用い、成形により得ることができる。移動ブロック体６４及び移動軸２４は、一体成形で形成してもよく、別々のものを組み立ててもよい。また、必要なトルクを得られるならば、移動ブロック体６４を完全な円環状とせずに、円環状の一部の形状として、そこにコイル６６を巻回するものとしてもよい。
【００３４】
コイル６６は、絶縁被服導線を移動ブロック体６４の円環状側面に円周状に複数回巻回されたもので、導線の抵抗、巻数等は、固定子磁気ギャップの特性設定とともに、リニアモータ６０の速度や応答性性能の面から設定される。なお、コイル６６と外部の信号線７６との接続については、第２雲形ばね８０の説明のところで詳述する。
【００３５】
フラッパ２０は、ノズル２２の噴き出し開口に向かい合い、ノズル２２から噴出す気体を受け止める気体受面を有する部品である。フラッパ２０は移動軸２４の一方端に取り付けられ、移動軸２４及び移動ブロック体６４とともに軸方向に移動できる。そして、受け止めた気体の噴き出し力と、リニアモータ６０の軸方向の推力とをバランスさせることで、フラッパ２０の軸方向の位置が定まり、その位置におけるノズル２２からの気体の噴き出し状態により、負荷への出力圧力である気体圧Ｐａが定まる。気体受面は、軸方向に垂直が好ましい。かかるフラッパ２０は、適当な金属材料又は樹脂材料を加工又は成形して得ることができる。また、移動軸２４と一体構造、あるいは移動ブロック体６４及び移動軸２４と一体構造として成形して得ることとしてもよい。
【００３６】
移動軸２４回りの構成をまとめると、移動ブロック体６４の円環状部分にＸ方向と直交する円周方向にコイル６６が巻回され、この円環状の中心軸に沿って移動軸２４がノズル２２の方向に延び、移動軸２４の先端である一方端にフラッパ２０が、気体受面を軸方向に垂直となるように設けられる。このようにして、上記のように、移動ブロック体６４、移動軸２４、フラッパ２０は、一体として軸方向に移動する。
【００３７】
移動軸２４の両端部は、第１雲形ばね７８、第２雲形ばね８０を介して筐体１２に支持される。ここで、雲形ばねとは、薄板に例えば雲形のスリットを設けた板ばねで、その中心に物体を接続し、周辺を固定端とすることで、物体の軸周りの回転を規制し、軸方向の移動を可能にして物体を支持できるラジアル支持ばねとしての機能を有する。
【００３８】
第１雲形ばね７８は、移動軸２４のフラッパ２０が設けられる一方端において移動軸２４について、軸周りの回転を規制し、軸方向の移動を可能にして、支持するラジアル支持ばねである。ここでは、第１雲形ばね７８は、移動軸２４をいわば宙吊りとするように支持する典型的なラジアル支持ばねとして用いられている。
【００３９】
これに対し、第２雲形ばね８０は、移動軸２４の他方端において移動軸２４について、軸周りの回転を規制し、軸方向の移動を可能にして、支持するラジアル支持ばねであるが、このほかに、コイル６６からの引出線と、外部からの信号線とを中継して接続する機能を有する。そのために、第２雲形ばね８０は、導電性の金属薄板で構成され、コイル中継端子７２と外部中継端子７４が設けられる。そして、コイル６６からの信号線７０がコイル中継端子７２に接続され、外部からの信号線７６が外部中継端子７４に接続される。したがって、第２雲形ばねのばね材の導電性により、コイル６６−信号線７０−コイル中継端子７２−ばね材−外部中継端子７４−信号線７６が電気的に接続されることになる。
【００４０】
第１雲形ばね７８に用いることのできる雲形ばねの例示的形状のいくつかが図２に示されている。雲形ばねは、バネ性を有する金属薄板をエッチング又はプレス穴あけ加工又は放電加工等で複数の円環状あるいは複雑な雲形のスリットを設けたものである。スリットの形状は、雲形ばねの外周側を固定し、内周側に設けられる中心軸に変位を与えたとき、軸方向の変位、すなわち板ばねの表面に垂直な方向の直線変位に対する剛性に比べ、軸周りの変位、すなわち板ばねの表面に平行な面内での回転変位に対する剛性が大きくなるように工夫される。
【００４１】
図２の例では、板厚、外径、材質を同じとして、静的な状態、すなわち、軸方向に変位が小さいときで、軸周りの変位に対する剛性と、軸方向の変位に対する剛性の比として、
図２（ａ）は約１１０倍、図２（ｂ）は約８０倍、図２（ｃ）は約６０倍の剛性差を得ることができる。したがって、要求される精度に応じて、適当なスリットの形状、例えば図２（ｂ）を選択することで、移動軸２４等の不必要なねじり振動等を抑制することができる。
【００４２】
ラジアル支持ばねとしての機能を用いることは、第２雲形ばね８０も第１雲形ばね７８と同様であるので、これらの雲形ばねの内周側を、それぞれ移動軸２４の一方端及び他方端に取り付け、それぞれの雲形ばねが変形しないように、それぞれの外周側を筐体１２にそれぞれ固定する。こうすることで、移動軸２４は、両端がいわば２つの雲形ばねにより宙吊りの形で支持され、上記の雲形ばねの特性により、軸周りの回転が抑制され、これに比べ軸方向の移動を自由に行うことができる。したがって、摺動による支持や、回転軸受による支持に比べ、負荷を少なくして、フラッパ２０の軸方向の移動を行うことができる。
【００４３】
第２雲形ばね８０の構造及び信号線の中継機能について、図３から図６を用いて説明する。以下では、図１と同様の要素には同一の符号を付し、詳細な説明を省略する。また、以下では、図１の符号も用いて説明する。
【００４４】
図３は、図１における筐体ブロック１８を取り外して第２雲形ばね８０について−Ｘ方向から＋Ｘ方向に向かってみた図である。この図３では、第２雲形ばね８０の外周部を押えるための取付リング８６が見えている。図４は、取付リング８６も取り外し、第２雲形ばね８０のみを図示したものである。図４に示されるように、第２雲形ばね８０は、２つの雲形ばね片８２，８４から構成される。図５は、第２雲形ばね８０にコイル６６からの信号線７０が接続される様子を示す拡大図である。図６は、第２雲形ばね８０に外部からの信号線７６が接続される様子を示す図である。
【００４５】
第２雲形ばね８０は、図４に示されるように、２つの雲形ばね片８２，８４から構成されるが、この２つの雲形ばね片８２，８４は、図２（ｂ）で説明した雲形ばねを互いに対称形となるように２分割したものに相当する。したがって、図４に示される第２雲形ばね８０の形状は、一例であって、図２で説明した他の形状の雲形ばね等を互いに対称形となるように２分割したものを用いることができる。
【００４６】
第２雲形ばね８０が２つの雲形ばね片８２，８４から構成されるのは、コイル６６からの信号線７０が２本あるためである。この２本の信号線７０が伝達する信号は相互に異なっている。コイル６６からの２本の信号線７０に対応し、２つの雲形ばね片８２，８４には、それぞれの内周側にコイル中継端子７２が取り付けられる穴が設けられる。また、２つの雲形ばね片８２，８４には、それぞれの外周側に外部中継端子７４が取り付けられる穴がそれぞれ設けられる。外部中継端子７４は、コイル６６からの２本の信号線７０に対応し、外部の制御部１００に接続される２本の信号線７６に接続される。
【００４７】
このように、第２雲形ばね８０が２つの雲形ばね片８２，８４から構成されるのは、コイル６６からの信号線７０が２本あるためであるので、信号線の数によって、第２雲形ばね８０の分割数が異なる。例えば、コイル６６の２本の端子のうち、一本が接地電位に接続されるものとし、コイル６６には外部から１つの信号の伝送で足りるときは、第２雲形ばね８０は２つに分割する必要がない。これとは別に、第２雲形ばね８０に対し、フラッパ２０側から筐体１２のフタ側に相当する筐体ブロック１８側に３本以上の信号線を通したいときに、第２雲形ばね８０を中継する場合には、３つ以上に第２雲形ばね８０を分割するものとできる。
【００４８】
いずれにせよ、信号の中継として第２雲形ばね８０を用いるときは、第２雲形ばね８０は、他の導電体と絶縁される必要がある。図３から図６においては、移動軸２４、筐体部ロック１６が導電体で構成されるものとして、第２雲形ばね８０と、移動軸２４、筐体ブロック１６との間の絶縁の様子が次のように示されている。
【００４９】
まず、第２雲形ばね８０の中心部には、移動軸２４と接触しないように、移動軸２４の外形よりやや大きめの穴が設けられる。図４では、その穴が２分割された様子が示され、図５では、第２雲形ばね８０と移動軸２４とが接触していない様子が示されている。
【００５０】
第２雲形ばね８０と移動軸２４との取り付けは、絶縁体を介して行われる。ここでは、移動ブロック体６４が絶縁体で構成され、その移動ブロック体６４と移動軸２４とが一体化され、第２雲形ばね８０は、導電体である移動軸２４から分離絶縁されるように配置されて絶縁体である移動ブロック体６４に固定して取り付けられる。
【００５１】
なお、コイル中継端子７２は、移動ブロック体６４に挿入されて、先端が第２雲形ばね８０と電気的に接続される。ここでも、コイル中継端子７２と移動軸２４との間の絶縁は、絶縁体である移動ブロック体６４によって行われているが、さらにコイル中継端子７２の周囲に絶縁ブッシュを配置することが望ましい。
【００５２】
第２雲形ばね８０と筐体ブロック１６との間の取り付けも絶縁体を介して行われる。第２雲形ばね８０は、その外周部において適当なボルト９０あるいはネジを用いて筐体ブロック１６に固定される。ボルト９０等が金属である場合、絶縁リングと絶縁ブッシュとを用いて、ボルト９０等と第２雲形ばね８０との間が電気的に接触することがないようにされる。すなわち、第２雲形ばね８０の外周部の表裏には、絶縁体で構成される取付リング８６，８８が設けられる。これによって、第２雲形ばね８０の外周部は、表側と裏側の両側において、絶縁体である取付リング８６，８８で挟まれて保持されることになる。そして、第２雲形ばね８０の外周部には、ボルト９０の外径に嵌め込まれた絶縁リングの外径よりも大きめの穴が開けられ、この穴に、絶縁リングを介してボルト９０が挿入される。
【００５３】
図３には、ボルト９０、取付リング８６が示され、図５、図６には、取付リング８６，８８が第２雲形ばね８０を表裏から挟み込む様子が示されている。なお、図１では、ボルト９０の箇所を除き、取付リング８６，８８の表示を省略してある。
【００５４】
図５には、コイル中継端子７２の周辺の様子が示されている。図５は、図３のＡ−Ａ線に相当する断面線におけるノズルフラッパ弁１０の断面図である。ここで示されるように、コイル中継端子７２は、第２雲形ばね８０の内周側において、移動軸２４に近接した部位に、移動軸２４と絶縁されて、取り付けられる。そして、コイル６６から引き出された信号線７０は、移動ブロック体６４の円環状部分に沿って固定されて這わされ、コイル中継端子７２の頭部に電気的に接続される。
【００５５】
ここで、コイル中継端子７２は、第２雲形ばね８０の内周側で移動軸２４に近接した部位、すなわち、第２雲形ばね８０が変形したときでも移動軸２４と第２雲形ばね８０との間の変位が最も少ない部位に固定される。したがって、コイル中継端子７２は、移動軸２４の軸方向の変位、すなわちコイルの軸方向の変位とほとんど同じように軸方向に変位する。すなわち、コイル６６とコイル中継端子７２の相対的位置関係は、移動軸２４の変位によってほとんど変化しない。したがって、コイル６６から引き出された信号線７０は、移動軸２４の変位によってその長さ、形状をほとんど変化させない。
【００５６】
図６には、外部中継端子７４の周辺の様子が示されている。図６は、図３のＢ−Ｂ線に相当する断面線におけるノズルフラッパ弁１０の断面図である。したがって、ここでは、筐体ブロック１６の外周側における様子が示されている。図３、図４でも既に説明したように、外部中継端子７４は、第２雲形ばね８０の外周側にピンの形状で電気的に接続されて固定され、その先端、すなわち筐体ブロック１８の側に突き出る先端に、外部からの信号線７６が接続される。図６には、互いに分離される雲形ばね片８２，８４のそれぞれに外部中継端子７４が設けられ、それぞれの先端に、２本の信号線７６が電気的に接続される様子が示される。なお、外部中継端子７４が筐体ブロック１６と接触しないように配置され、電気的に筐体ブロック１６と絶縁分離される。
【００５７】
ここで、外部中継端子７４は、第２雲形ばね８０の外周側で、筐体ブロック１６に固定される部位に近接した部位、すなわち、第２雲形ばね８０が変形したとしても、筐体ブロック１６と第２雲形ばね８０との間の変位がほとんどない部位に固定されるので、移動軸２４の軸方向の変位があっても、外部中継端子７４と筐体１２との間の相対的位置関係は、移動軸２４の変位によってほとんど変化しない。したがって、外部からの信号線７６は、移動軸２４の変位によってその長さ、形状をほとんど変化させない。
【００５８】
従来技術においては、リニアモータ６０のコイル６６からの信号線が外部に直接引き出されていたので、移動軸２４の移動に伴い、引出線の長さ、曲率形状が変化する。したがって、従来技術においては、移動軸２４の変位量に応じて、引出線による負荷が変動する。上記のように、コイル６６からの信号線７０を、第２雲形ばね８０に一旦接続し、第２雲形ばね８０と外部の信号線７６と接続するようにすることで、移動軸２４の移動による信号線７０、７６の長さ、形状の変化を大幅に抑制することができる。そして、上記のように、コイル６６からの信号線７０を接続するコイル中継端子７２を第２雲形ばね８０の内周側に設け、外部の信号線７６を接続する外部中継端子７４を第２雲形ばね８０の外周側に設けることで、移動軸２４の移動による信号線７０、７６の長さ、形状の変化がほとんどないようにできる。
【００５９】
このようにして、第２雲形ばね８０に、信号線の中継を行う機能をもたせることで、ノズルフラッパ弁１０の移動軸２４の移動制御において、コイル６６からの引出線の影響を抑制することができる。
【００６０】
以上がリニアモータ６０に関する説明である。ここで再び図１に戻り、ノズル２２とフラッパ２０に関する気体圧制御の説明を行う。
【００６１】
図１におけるノズル２２は、先端の開口部が後端の開口に比べ絞られた筒状の素子で、後端開口に供給された気体を絞って先端の開口部から細い流れとして噴出させる絞り機能を有する。ノズル２２の気体流の方向は、軸方向に取られ、より詳しくは、リニアモータ６０の移動軸２４と同軸に設定される。したがって、図１の構成に従えば、ノズル２２の中心軸は、フラッパ２０及び移動軸２４の中心軸と同軸に取られる。かかるノズル２２は、金属材料等を加工して得ることができる。
【００６２】
このように配置されたノズル２２とフラッパ２０を有するノズルフラッパ弁１０の内部における気体の流れについて説明する。ノズルフラッパ弁１０は、筐体１２の外壁に３つの気体の出入りポートを有する。１つは、図示されていない気体供給源から一定高圧の供給圧Ｐｓに調整された気体が供給される供給口又は供給ポートである。また、ノズルフラッパ弁１０で使用済みの気体を大気Ｐ0に放出する排気口又は排気ポートが設けられる。もう１つが、ノズル２２とフラッパ２０の協働作用により調整された気体圧Ｐａを出力し負荷に供給する負荷口又は負荷ポートである。
【００６３】
気体の流れと、各ポートとの関係は、以下のとおりである。供給口からの供給圧Ｐｓの気体は、気体流路の絞り装置３０の１次側に供給される。気体流路の絞り装置３０の内部構成については、次に図３、図４を用いて詳述する。気体流路の絞り装置３０の２次側は、ノズル２２の後端の開口に接続されるとともに、負荷口に接続される。ノズル２２の先端の開口から噴き出し、フラッパ２０に当たった後の気体は使用済みのものとして、排気口に導かれる。すなわち、気体流路の絞り装置３０の２次側からの気体は、ノズル２２と負荷口の先の負荷とに並列に供給される。したがって、ノズル２２から噴き出す状態、すなわちノズル２２とフラッパ２０との間隔に応じ、負荷口の出力圧力である気体圧Ｐａが変化する。これを利用し、上記のように、リニアモータ６０の駆動によりフラッパ２０の軸方向の位置を変え、ノズル２２からの噴き出しを変化させ、気体圧Ｐａを所望の値に制御できる。
【００６４】
次に気体流路の絞り装置３０の内部構成について、図７、図８を用いて説明する。以下では、図１と同様の要素には同一の符号を付し、詳細な説明を省略する。また、以下では、図１の符号も用いて説明する。図７は、ノズルフラッパ弁１０における気体の絞り装置３０の拡大断面図であり、図８は、気体の絞り装置３０の分解図である。
【００６５】
気体流路の絞り装置３０は、内部に平行隙間を有する絞り装置で、平行隙間を気体が流れることで気体の流れを整流し、乱れのない気体流として２次側に出力する機能を有する。図７に示されるように、気体の絞り装置３０は、ノズルフラッパ弁１０の筐体ブロック１４に組み込まれ、隙間形成蓋３２と隙間保持ベース３４と外側リング３６から構成される。
【００６６】
図７に矢印で示されるように、気体の絞り装置３０において気体流路は、「気体圧Ｐｓの供給口−隙間形成蓋３２の貫通穴４０−隙間形成蓋３２と隙間保持ベース３４との間に形成される平行隙間４２−外側リング３６の外側窓部４４−隙間保持ベース３４の内側窓部４６−隙間保持ベース３４の穴４８−気体圧Ｐａの出力口」のように構成され、平行隙間４２において気体が絞られ、乱れなく形成される。
【００６７】
平行隙間４２以外の気体流路においては、その流体抵抗が平行隙間４２における流体抵抗に比べ無視できる程度となるように、流路の大きさが設定される。例えば、１次側圧力気体の圧力を５×１０5Ｐａ（パスカル）、流速を３０ｍ／ｓｅｃとし、これを流速３００ｍ／ｓｅｃの層流に絞って２次側に出力するときは、１つの例示として、平行隙間４２の隙間を約５０μｍ、その長さを５〜１０ｍｍ程度とし、平行隙間４２以外の気体流路についてその寸法を数ｍｍ程度のものとすることが好ましい。
【００６８】
図８（ｃ）に示す隙間形成蓋３２は、中央部に貫通穴４０を有するリングで、下面は筐体ブロック１４の合わせ面に向かい合う面となり、状面は隙間保持ベース３４に向かい合う面となる。したがって、気体の絞り装置３０において、貫通穴４０を介して１次側圧力気体である気体圧Ｐｓを有する気体を隙間保持ベース３４に導く機能を有する。隙間形成蓋３２の大きさは、上記の例において、外径を約１０ｍｍ、厚みを約２ｍｍ、貫通穴４０の直径を約３ｍｍとすることができる。
【００６９】
図８（ｂ）に示す隙間保持ベース３４は、上部の段差付円板であるディスク部と、ディスク部の下部の円環状部材であるリング部と、ディスク部とリング部とを接続する４個の支え脚部とを含む部材である。その外径は隙間形成蓋３２の外径と同じ大きさの約１０ｍｍである。また隙間保持ベース３４全体の高さは約４ｍｍ、その中でディスク部の厚みを約０．８ｍｍとすることができる。隙間保持ベース３４は、機械加工等によりディスク部と支え脚部とリング部とを一体に形成してもよく、あるいはこれらを個別に製作して組み合わせた組立体とすることもできる。
【００７０】
隙間保持ベース３４におけるディスク部は、その下面側に４箇所の部分扇形部分５０を備える。４箇所の部分扇形部分５０の外径は、ディスク部の直径と同じ約１０ｍｍに、その内径は、隙間形成蓋３２の貫通穴４０の直径と同じ約３ｍｍに形成される。部分扇形部分５０の下側の外形面は、隙間形成蓋３２の上面と接触する面で、その高さ、すなわちディスク部における段差は、上記の例で約５０μｍとすることができる。この約５０μｍの段差は機械加工で得ることができる。したがって、別の見方をすれば、ディスク部の下面側は、周囲の部分扇形部分５０から約５０μｍ低い円筒状の凹部５２を有する。この凹部５２は、中心部の円形状凹部と、その円形状凹部から外周側に向けて放射状に広がる４個の扇形凹部を備えていることになる。
【００７１】
ここで、隙間保持ベース３４の下面と隙間形成蓋３２の上面とを合わせて組み合わせると、隙間保持ベース３４のディスク部の凹部５２と隙間形成蓋３２の上面の間に、隙間が約５０μｍの４個の平行隙間４２が形成される。そして、隙間形成蓋３２の貫通穴４０は、ディスク部の中央部における円形状凹部を介してこの平行隙間４２に通ずることとなる。
【００７２】
隙間保持ベース３４のリング部は、隙間形成蓋３２と同じ外径と内径と高さとを有するリングである。上記の例で、外径を約１０ｍｍ、内径を約３ｍｍ、高さを約２ｍｍとすることができる。各支え脚部は、各部分扇形部分５０に対応する外径と内径と扇形形状を有し、その高さは上記の例で約１．２ｍｍとすることができる。したがって、別の見方をすれば、リング部と各支え脚部は、ディスク部の上部にあって、ディスク部の下面側における４個の平行隙間４２に対応する位置に４個の内側窓部４６を有し、その内側窓部４６は、隙間保持ベース３４の外周から内部に向かって開けられており、さらに内部には、ディスク部の上部を突き当たりとし、リング部の上面に開口を有する穴４８が備えられていることになる。この穴４８の直径は上記のように隙間形成蓋３２の貫通穴４０の直径と同じである。
【００７３】
図８（ａ）に示す外側リング３６は、隙間保持ベース３４の高さに隙間形成蓋３２の高さを加えた値の高さを有し、筐体ブロック１４における円筒状の凹部の内径に対応する外径と、隙間形成蓋３２及び隙間保持ベース３４の外径に対応する内径を有するリングである。上記の例では、高さを約（４＋２）＝６ｍｍ、内径を約１０ｍｍとし、外径を約１２ｍｍとすることができる。そして、リング外周には、隙間形成蓋３２及び隙間保持ベース３４を組み合わせたときに形成される平行隙間４２及び内側窓部４６に対応して４個の外側窓部４４が設けられる。各外側窓部４４の大きさは、平行隙間４２及び内側窓部４６を十分望める大きさに設定される。上記の例で、内側窓部４６の高さは約１．２ｍｍであり、ディスク部の厚みは約０．８ｍｍであるので、外側窓部４４の高さは約（１．２ｍｍ＋０．８ｍｍ）＝２ｍｍを十分超えた大きさの約２．５ｍｍに設定される。
【００７４】
そして、外側リング３６の内側にまず隙間形成蓋３２を収納し、その上に隙間保持ベース３４を設置し、各外側窓部４４を、それぞれ対応する内側窓部４６と平行隙間４２とを望む位置に位置決めして配置し、その状態で、筐体ブロック１４における円筒状の凹部に収納することで気体の絞り装置３０がノズルフラッパ弁１０の内部に組み込まれる。
【００７５】
このように気体の絞り装置３０が筐体ブロック１４における円筒状の凹部に組み込まれると、その円筒状の凹部の内壁によって、気体の絞り装置３０の各外側窓部４４がそれぞれ蓋をされる状態になり、各外側窓部４４は、開放端でなく、閉じた流路となる。このことで、「平行隙間４２−外側窓部４４−内側窓部４６−穴４８」という流路が形成される。したがって、気体の絞り装置３０の貫通穴４０に気体圧Ｐｓを供給することで、上記のように、「気体圧Ｐｓの供給口−隙間形成蓋３２の貫通穴４０−隙間形成蓋３２と隙間保持ベース３４との間に形成される平行隙間４２−外側リング３６の外側窓部４４−隙間保持ベース３４の内側窓部４６−隙間保持ベース３４の穴４８−気体圧Ｐａの出力口」の気体流路が形成される。
【００７６】
供給された気体圧Ｐｓの１次側圧力気体は、この気体流路を通り、平行隙間４２において絞られる。この平行隙間４２は約５０μｍの隙間で長さは数ｍｍであるので、その整流作用により、ここを流れる気体は乱れなく形成されて２次側の気体として、ノズルフラッパ弁１０のノズル２２に供給される。また、平行隙間４２は、ディスク部の中央部における円形凹部からディスク部の外周側に向けて放射状に広がる４個の扇形凹部により形成されるので、流れは急拡大せずに徐々に広がり、さらに滑らかな流れとすることができる。このようにして乱れなく形成された気体は、乱流、渦流を含まず、衝撃波を生ずることもない。したがって、気体の絞り装置３０において、高圧気体の出力圧力のノイズを抑制することができる。
【００７７】
上記のように、気体の絞り装置３０において平行隙間４２は、隙間形成蓋３２の上面と、隙間保持ベース３４の下面の凹部５２との間で形成される。そして、平行隙間４２の所定間隔、上記の例で約５０μｍは、隙間保持ベース３４の上面における部分扇形部分５０と凹部５２との間の段差を利用し、部分扇形部分５０の下面に隙間形成蓋３２の上面が接触することで確保されている。この平行隙間４２を確保するための段差は、上記のように隙間保持ベース３４の上面における機械加工等で得ることができるが、部分扇形状を有するスペーサを別部材として用意し、一様厚さの円板状のディスク部にこのスペーサを組み合わせて、段差を形成することもできる。スペーサは、薄板のプレス加工等で得ることができるので、段差を有するディスク部の加工に比べ、コストを低減することが可能である。
【００７８】
図９は、気体の絞り部として、一般的なオリフィス絞り３１を用いる例を示す図である。オリフィス絞りは、気体の供給側の流路断面積に比べ、出力側の流路断面積を小さくする構造を有し、この流路断面積の差に応じて気体の流れが絞られる。オリフィス絞り３１の具体的な例としては、出力側の流路の直径を約０．４ｍｍから約１ｍｍ程度とすることができる。
【産業上の利用可能性】
【００７９】
本発明に係るノズルフラッパ弁は、以下の気体アクチュエータに供給する気体圧を制御するのに用いることができる。すなわち、微小移動機構用の気体アクチュエータ、粗動及び微小移動可能な機構の気体アクチュエータ、アクティブ除振用の気体アクチュエータ、精密位置決め装置の気体アクチュエータ、容器内の精密な圧力制御等に、精密に制御された気体圧を供給するのに用いることができる。
【図面の簡単な説明】
【００８０】
【図１】本発明に係る実施の形態のノズルフラッパ弁の構成と、ノズルフラッパ弁が微小移動機構において用いられる様子を説明する図である。
【図２】本発明に係る実施の形態において、雲形ばねの例を示す図である。
【図３】本発明に係る実施の形態において、第２雲形ばねが取り付けられる様子を示す図である。
【図４】本発明に係る実施の形態において、第２雲形ばねを示す図である。
【図５】本発明に係る実施の形態において、コイル中継端子周辺を示す図である。
【図６】本発明に係る実施の形態において、外部中継端子周辺を示す図である。
【図７】本発明に係る実施の形態において、気体の絞り装置の構成を示す図である。
【図８】本発明に係る実施の形態において、気体の絞り装置の分解図である。
【図９】本発明に係る実施の形態において、他の気体の絞り装置の例を示す図である。
【符号の説明】
【００８１】
２  アクチュエータ、４  案内部、６  可動体、１０  ノズルフラッパ弁、１２  筐体、１４，１６，１８  筐体ブロック、２０  フラッパ、２２  ノズル、２４  移動軸、３０  絞り装置、３１  オリフィス絞り、３２  隙間形成蓋、３４  隙間保持ベース、３６  外側リング、４０  貫通穴、４２  平行隙間、４４  外側窓部、４６  内側窓部、４８  穴、５０  部分扇形部分、５２  凹部、６０  リニアモータ、６２  磁石、６４  移動ブロック体、６６  コイル、７０，７６  信号線、７２  コイル中継端子、７４  外部中継端子、７８  第１雲形ばね、８０  第２雲形ばね、８２，８４  雲形ばね片、８６，８８  取付リング、９０  ボルト、１００  制御部。
【図１】
2008309169.tif 000003
【図２】
2008309169.tif 000004
【図３】
2008309169.tif 000005
【図４】
2008309169.tif 000006
【図５】
2008309169.tif 000007
【図６】
2008309169.tif 000008
【図７】
2008309169.tif 000009
【図８】
2008309169.tif 000010
【図９】
2008309169.tif 000011